(57)【要約】【課題】従来のキャップと結合した化粧筆を用いるマニキュア容器では、マニキュア液を、マニキュア容器の開口部の縁で拭い取ることをしているので、開口部が汚れたり、マニキュア液が固まってしまい容器のキャップが開けられなくなり最後まで容器内のマニキュア液を使い切れないことがある。【解決手段】キャップと結合した化粧筆を用いるマニキュア容器において、化粧筆および化粧筆軸部に付着した余分なマニキュア液を、しごき部および拭い取り部を設けた中栓を通過することにより取り除き、かつ、容易にマニキュア容器下部に戻し、適量のマニキュア液が化粧筆に残るようにする。【選択図】図８
2010220992.tif 000002
【特許請求の範囲】
【請求項１】
マニキュア容器に装着される中栓であって、マニュキア容器本体の開口部に圧入して密着され、有機溶剤にも冒されない弾性を持つ材質で、つば部および側面部と一体成型されたしごき部を備え、このしごき部は、キャップと結合した化粧筆軸部および化粧筆との接点の形状が、ゆるい弧状または直線状であって、化粧筆軸部と化粧筆に密着しやすい構造を有し、さらに、そのしごき部は側面部の内部に向かう取り付け角度を０°〜９０°の範囲で設定し、その角度を変えることで化粧筆軸部と化粧筆に加わる圧力を調整し、キャップと結合した化粧筆を引き抜くときに、しごき部自身の反動力により二方向または一方向より加わる適度な圧力で化粧筆軸部と化粧筆に付着した余分なマニキュア液をしごき取り、適量のマニキュア液が化粧筆に残るような構造で、かつ、しごき部周囲に大きく空間を設けることで、挿入するときしごき部は外側に広がりやすくなり、化粧筆の先の部分は比較的柔らかく長いが、回転しながら挿入されても折れ曲がってしまうことはなく、しかも、収納時にしごき部が化粧筆軸部に密着している場合でも、化粧筆軸部と密着している箇所に粘度の高いマニュキア液が溜まらず、容易にマニキュア容器下部に戻りやすいようにした構造のマニキュア容器用中栓。
【請求項２】
マニキュア容器に装着される中栓であって、マニュキア容器本体の開口部に圧入して密着され、有機溶剤にも冒されない弾性を持つ材質でつば部および側面部と一体成型され、化粧筆軸部および化粧筆の引き抜きや挿入に不具合の無いよう、化粧筆の幅と同じかわずかに広い幅の凸部を、つば部と平行になるように側面部内側に一箇所ないし二箇所水平に設置した拭い取り部を備え、この拭い取り部の形状は余分なマニキュア液がマニキュア容器下部に流下しやすいように傾斜面になっていることを特徴とするマニキュア容器用中栓。
【請求項３】
マニキュア容器に装着される中栓であって、前記拭い取り部が、しごき部上側に設けられていることを特徴とする請求項１に記載のマニキュア容器用中栓。
【発明の詳細な説明】
【技術分野】
【００１】  本発明は、キャップと結合した化粧筆を用いるマニキュア容器に装着される中栓に関する。
【背景技術】
【００２】  従来のマニキュア容器は、マニキュア液の塗布を容易にするために、マニキュア容器のキャップと結合した化粧筆が用いられ、キャップをマニキュア容器本体に装着すると、化粧筆および化粧筆軸部がマニキュア液に浸漬されるようになることが普通である。【００３】  マニキュア容器を使用する者は、マニキュア液を塗布する際に、キャップと結合した化粧筆や、その化粧筆軸部に付着した余分なマニキュア液を、マニキュア容器の開口部の縁で拭い取ることをしている。【００４】  このとき、マニキュア容器の開口部は、付着したマニキュア液で汚れてしまったり、マニキュア液が固まってしまい、容器のキャップが開けられなくなってしまいマニキュア液を最後まで使い切ることができないことがある。【００５】  これらの点を解決しようとする技術として、下記の特許文献１に開示の技術では、化粧料容器の開口部に装着される中栓の外周方向に、弧上に湾曲する液切り用リブを設けている。
【特許文献１】  特開平９−２４９２５０号公報
【００６】  次に、下記の特許文献２の開示技術では、容器開口部を分割する仕切り部材を備え、化粧筆に付着した余分な化粧料を拭い取るものもある。
【特許文献２】  特開２００５−３４９１０６号公報
【００７】  また、下記の特許文献３の開示技術では、中栓の口径を狭めた部分で化粧筆の液切りを図っている。
【特許文献３】  特開平９−２３８７４２号公報
【００８】  そして、マスカラの塗布棒やアプリケータ部の外周に付着した化粧料をしごき取る、しごき部材を備えた化粧料容器もある。
【特許文献４】  特開  ２００６−２６３２３３号公報
【特許文献５】  特開  ２００６−２８０６６９号公報
【００９】  さらに、四方向、二方向、一方向より適当な圧力を加えるように形成したしごき部を設け化粧料をしごき取るものもある。
【特許文献６】  米国特許第５８７３６６９号明細書
【特許文献７】  米国特許出願公開第２００７／０１２７９７４号明細書
【特許文献８】  米国特許第５８７５７９１号明細書
【発明の開示】
【発明が解決しようとしている課題】
【０１０】  以上に述べた従来のマニキュア容器では、キャップと結合した化粧筆やその化粧筆軸部に付着した粘度の高いマニキュア液を、マニキュア容器の開口部の縁で拭い取ることをしているので、開口部が汚れたり、マニキュア液が固まってしまい容器のキャップが開けられなくなり最後まで容器内のマニキュア液を使い切れないことがある。
【０１１】  そして、容器の開口部に装着される中栓により余分なマニキュア液をしごき取ったり、仕切り部材で拭い取ったりするものがあるが、それらの形状および材質からして、化粧筆などのやわらかい部分に付着した余分なマニキュア液は取りやすいが、その化粧筆の軸部に付着したマニキュア液はうまく取ることができない。
【０１２】  また、容器の開口部に装着した中栓の中心に真円形の穴や切り込みを設けたり、四方向、二方向、一方向より適当な圧力を加えるように形成したしごき部を設け、その部分を化粧筆および化粧筆軸部が通過するときにしごき取るものがあるが、これはマスカラなどのように、塗布棒の先の部分が塗布棒芯材の周囲に放射状に配設され、ブラシ毛やスポンジが植設されたアプリケータ部のような形状であれば、狭い穴や切込み、または間隔の狭いしごき部を通過させてしごき取ることができるが、マニキュアに使用する様なキャップと結合した化粧筆では、筆の先の部分が比較的柔らかく長いために、狭い穴や切り込みでは挿入するときに折れ曲がってしまい不具合である。
【０１３】  さらに、化粧料容器の開口部に装着する中栓に、しごき取った余分な化粧料を容器下部に戻すために、小さな穴が開いているものや、空間を設けているものがあるが、マニキュア液のような粘度の高い化粧料では、それらの穴が詰まって固まってしまったり、収納時に化粧筆軸部としごき部が密着し空間が無くなってしまう構造のため、余分な化粧料がその密着した部分に溜まって固着してしまい不具合である。
【課題を解決するための手段】
【０１４】  そして、本発明は上記目的を達成するために、キャップと結合した化粧筆を用いるマニキュア容器において、キャップと結合した化粧筆を引き抜くとき、化粧筆および化粧筆軸部に付着した余分なマニキュア液を、しごき部および拭い取り部を備えた中栓を通過することにより取り除き、かつ、容易にマニキュア容器下部に戻し、適量のマニキュア液が化粧筆に残るようにする。
【０１５】  上記解決手段の作用は次の通りである。すなわち、キャップと結合した化粧筆を引き抜くとき、化粧筆および化粧筆軸部に付着した余分なマニキュア液は、しごき部を通過する際に、二方向または一方向より適度な圧力が加えられたしごき部によりしごき落とされる。
【０１６】  また、化粧筆の幅と同じかわずかに広い幅の凸部を、一箇所ないし二箇所水平に設置した拭い取り部により、化粧筆および化粧筆軸部に付着した余分なマニキュア液を拭い取ることもできる。
【０１７】  また、しごき部および拭い取り部を両方備えた中栓により、より効果的、かつ繊細に、化粧筆に残った余分なマニキュア液を拭い取ることもできる。
【０１８】  そして、しごき部および拭い取り部で取り除かれた余分なマニキュア液は、しごき部および拭い取り部周囲に大きく設けられた空間を通り、滞ることなくマニキュア容器下部に流下し、化粧筆には適量のマニキュア液が残るようになる。
【発明の効果】
【０１９】  上述したように、本発明のキャップと結合した化粧筆を用いるマニキュア容器の中栓は、使用者がマニキュアを塗布するためにキャップと結合した化粧筆を引き抜くとき、化粧筆および化粧筆軸部に付着した余分なマニキュア液を効果的に取り除くことができ、マニキュア容器下部に戻すことができるとともに、化粧筆には適量のマニキュア液が残るようになるため、使用者はマニキュア液の塗布がしやすくなる。
【０２０】  また、マニキュア容器の開口部で化粧筆や化粧筆軸部に付着した余分なマニキュア液を拭い取ったりする必要がないので、開口部がマニキュア液で汚れることが少なくなり、キャップがマニキュア液によって固まってしまうこともなくなり、マニキュア液を最後まで使い切ることができるようになり経済的である。
【０２１】  さらに、マニキュア液によるネイルアートが広く行われているが、この作業では様々な太さの化粧筆が使用され、マニキュア液を他の容器に移して使用したりしているが、本発明の中栓があれば、しごき部および拭い取り部により、マニキュア液の量の微妙な調節が可能であり、マニキュア液を他の容器に移すことなくマニキュア容器からそのまま繊細な作業が可能になる。
【発明を実施するための形態】
【０２２】  本発明の実施の形態を、図１〜図１２に基づいて説明する。
【０２３】  図１は、本発明の中栓３を備えたキャップと結合した化粧筆２を用いるマニキュア容器１の断面図である。図１のように、中栓３はマニキュア容器１の上部開口部に圧入され、その内部をキャップと結合した化粧筆２が通っていて、化粧筆５および化粧筆軸部６はマニキュア液４の中に浸漬されている。
【０２４】  図２は、中栓３の斜視図である。図３は、中栓３の平面図である。図４（ａ）は、図３の平面図において、（Ａ）方向から見た側面図である。以上の図より、中栓３は、つば部９および側面部１０と一体成型されたしごき部７を備え、キャップと結合した化粧筆２の挿入や引き抜きがしやすく、また、余分なマニキュア液４が流下しやすいように大きく空間１５を設けた構造になっている。この中栓３は、マニキュア容器１の開口部に、図１のようにつば部９、側面部１０が圧入され密着している。
【０２５】  マニキュア液４を塗布するとき、キャップと結合した化粧筆２を回転させながらマニキュア容器１から引き抜くが、図５（ａ）〜（ｄ）に示すように、化粧筆軸部６および化粧筆５に付着した余分なマニキュア液４は、中栓３の適度な圧力が加えられたしごき部７によってしごき取られ、化粧筆５に適量のマニキュア液４が残るようになる。
【０２６】  このとき、図３に示すように、しごき部７の化粧筆軸部６および化粧筆５との接点１２の形状は、ゆるい弧状または直線状であって、化粧筆軸部６および化粧筆５に密着しやすい構造にする。
【０２７】  さらに、図４（ａ）に示すようにしごき部７と側面部１０の取り付け角度１１を０°〜９０°の範囲で設定し、図４（ｂ）および図４（ｃ）で示すように、化粧筆軸部６と化粧筆５の動く方向１３によりしごき部７自身の反動力により加わる圧力の方向１４も変化する。そして、化粧筆軸部６と化粧筆５を引き抜くときに図４（ｃ）および図５に示すようにしごき部７自身の反動力により加わる適度な圧力で化粧筆軸部６と化粧筆５を挟むようにして付着した余分なマニキュア液４を適量しごき取るようにする。なお、上記しごき部７と側面部１０の取り付け角度１１は、角度１１が小さいほどしごき部７の長さが短くなり自身の反動力により加わる圧力は大きくなり、また、角度１１が大きくなると同圧力は小さくなる。そこで、化粧筆軸部６および化粧筆５の形状や化粧筆５に残るマニュキア液４の量に合わせ、最適な圧力になるよう角度１１を設定する。
【０２８】  そして、しごき部７と化粧筆軸部６が接するときの形態は、図６（ａ）〜（ｃ）に示した平面図のようになる。つまり、化粧筆軸部６の断面は、楕円形をしているのが普通であり、化粧筆軸部６の回転の角度によりしごき部７は様々に変形することになるので、しごき部７の材質はある程度の弾力性と上記反動力を持つことが必要であり、構造が単純で強度が十分確保されるように側面部と一体に成型され、かつ、マニキュア液４に含まれる有機溶剤によって冒されない、たとえばシリコンゴムのようなもので成型する必要がある。
【０２９】  また、図７に示すのは、有機溶剤にも冒されない弾性を持つ材質で側面部１０と一体に成型され、化粧筆軸部６と化粧筆５の引き抜きや挿入に不具合の無いよう、化粧筆５の幅と同じかわずかに広い幅の凸部を、つば部９と平行になるように側面部１０内側に一箇所ないし二箇所水平に設置した拭い取り部８を備えた中栓３である。なお、この拭い取り部の形状は図９（ｂ）に示すように、余分なマニキュア液がマニキュア容器下部に流下しやすいように傾斜面になっていることを特徴とし、図９（ａ）に示すように、化粧筆軸部６と化粧筆５付着した余分なマニキュア液４を適量拭い取り、拭い取った余分なマニキュア液４はマニキュア容器１下部に戻るようにした中栓３である。
【０３０】  さらに、図８に示すのは、しごき部７と拭い取り部８を組み合わせ一体に成型した中栓３である。これは、しごき部７でしごき取ってもまだ余分なマニキュア液４が化粧筆５に付着している場合は、図９（ａ）に示すように、側面部１０の内側、しごき部７上側に設けた拭い取り部８で、化粧筆５に付着した余分なマニキュア液４を拭い取ることもできるような構造の中栓３で、マニキュア液４の量の微妙な調節が可能になる。
【０３１】  さらに、これまで説明してきた中栓３は、しごき部７および拭い取り部８をそれぞれ二箇所設けて、化粧筆軸部６と化粧筆５に付着した余分なマニキュア液を４取り除く構造であるが、図１０（ａ）、（ｂ）に示すように、しごき部７および拭い取り部８を一箇所だけ設けるものもある。このようにすることで、空間１５がより大きく確保でき、キャップと結合した化粧筆２の装着、引き抜きがより容易になり、しごき取った余分なマニキュア液４もマニキュア容器１下部に戻りやすくなる。
【０３２】  このときのしごき部７の態様を図１１（ａ）〜（ｃ）で示すと、キャップと結合した化粧筆２のキャップを回しながら引き抜くことで、化粧筆軸部６と化粧筆５は、（イ）側と（ロ）側が交互に適度な圧力が加えられたしごき部７によってしごきとられ、化粧筆５に適量のマニキュア液４が残るようになる。
【０３３】  上記中栓３では、二箇所または一箇所設けたしごき部７および拭い取り部８で化粧筆軸部６と化粧筆５に付着した余分なマニキュア液４をしごき取るが、しごき部７および拭い取り８部周囲に大きく空間１５を設けることで、挿入するときしごき部７は外側に広がりやすくなり、化粧筆５の先の部分は比較的柔らかく長いが、回転しながら挿入されても折れ曲がってしまうことはない。しかも、図６（ａ）〜（ｃ）に示すように、収納時に、しごき部７が化粧筆軸部６に密着している場合でも、しごき部７の周囲に大きく空間１５が設けてあるので、化粧筆軸部６と密着している箇所に粘度の高いマニュキア液４が溜まらず、固着することが無く、容易にマニキュア容器１下部に戻りやすくなり、マニキュア液４を最後まで使い切ることができるようになる。
【０３４】  図１２（ａ）〜（ｘ）は上記実施の形態における中栓３のしごき部７の形状のバリエーションである。しごき部７および拭い取り部８周囲に大きく空間１５を設けるが、その形状は様々な形状が可能である。また、化粧筆軸部６と化粧筆５との接点１２の形状はゆるい弧状のみでなく、弾力があれば直線でもかまわない。
【０３５】  なお、本発明は上記説明した実施の形態に限定されるものでなく、本発明の目的および効果を生じる範囲で必要に応じて、形状や材質、組み合わせ等適宜変更して実施することも可能である。
【図面の簡単な説明】
【０３６】
【図１】  本発明の実施形態を示す中栓を備えたマニキュア容器１の断面図
【図２】  同中栓の斜視図
【図３】  同中栓の平面図
【図４】  同中栓のしごき部の作用形態の側面図
【図５】  同中栓のしごき部の作用形態の側面図
【図６】  同中栓のしごき部の作用形態の平面図
【図７】  同中栓の拭い取り部の平面図と断面図
【図８】  同中栓のしごき部および拭い取り部の平面図と断面図
【図９】  同中栓の拭い取り部の作用形態の側面図
【図１０】  同中栓の１箇所のしごき部および拭い取り部の平面図と断面図
【図１１】  同中栓の１箇所のしごき部の作用形態の側面図
【図１２】  同中栓のしごき部の形状のバリエーションの平面図
【符号の説明】
【０３７】  １    マニキュア容器
２    キャップと結合した化粧筆
３    中栓
４    マニキュア液
５    化粧筆
６    化粧筆軸部
７    しごき部
８    拭い取り部
９    つば部
１０  側面部
１１  しごき部と側面部の取り付け角度
１２  しごき部の化粧筆軸部と化粧筆との接点
１３  化粧筆の動く方向
１４  しごき部自身の反動力により加わる圧力の方向
１５  空間
【図１】
2010220992.tif 000003
【図２】
2010220992.tif 000004
【図３】
2010220992.tif 000005
【図４】
2010220992.tif 000006
【図５】
2010220992.tif 000007
【図６】
2010220992.tif 000008
【図７】
2010220992.tif 000009
【図８】
2010220992.tif 000010
【図９】
2010220992.tif 000011
【図１０】
2010220992.tif 000012
【図１１】
2010220992.tif 000013
【図１２】
2010220992.tif 000014
【手続補正書】
【提出日】平成21年10月10日(2009.10.10)
【手続補正１】
【補正対象書類名】特許請求の範囲
【補正対象項目名】全文
【補正方法】変更
【補正の内容】
【特許請求の範囲】
【請求項１】
マニキュア容器に装着される中栓であって、マニキュア容器本体の開口部に圧入して密着され、有機溶剤にも冒されない弾性を持つ材質でつば部および側面部と一体成型されたしごき部並びに拭い取り部を備えてなり、
しごき部は、キャップと結合した化粧筆軸部および化粧筆との接点の形状が弧状または直線状であって、化粧筆軸部と化粧筆に密着しやすい構造を有し、さらに、そのしごき部は側面部の内部に向かう取り付け角度を０°〜９０°の範囲で設定し、その角度を変えることで化粧筆軸部と化粧筆に加わる圧力を調整し、キャップと結合した化粧筆を引き抜くときに、しごき部自身の反動力により二方向または一方向より加わる適度な圧力で化粧筆軸部と化粧筆に付着した余分なマニキュア液をしごき取り、適量のマニキュア液が化粧筆に残るような構造で、かつ、しごき部周囲に空間を設けることで、挿入するときしごき部は外側に広がりやすくなり、化粧筆の先の部分は比較的柔らかく長いが、回転しながら挿入されても折れ曲がってしまうことはなく、しかも、収納時にしごき部が化粧筆軸部に密着している場合でも、化粧筆軸部と密着している箇所に粘度の高いマニキュア液が溜まらず、容易にマニキュア容器下部に戻りやすいようにした構造となっており、
拭い取り部は、化粧筆軸部および化粧筆の引き抜きや挿入に不具合の無いよう、化粧筆の幅と同じあるいは化粧筆の幅より広い幅の凸部を、つば部と平行になるように側面部内側に一箇所ないし二箇所水平に設置してなり、この拭い取り部の形状は余分なマニキュア液がマニキュア容器下部に流入しやすいように側面部から凸部の先端に向かう上面及び凸部の先端から側面部に戻る下面が傾斜面になっている、
ことを特徴とするマニキュア容器用中栓。
【請求項２】
前記マニキュア容器用中栓において、前記拭い取り部が、前記しごき部上側に設けられていることを特徴とする請求項１に記載のマニキュア容器用中栓。